(57)【特許請求の範囲】
【請求項１】
加工プログラムに従ってワイヤ電極と被加工物を相対移動させ、前記被加工物を所望の加工形状に加工するワイヤ放電加工機の制御装置であって、
前記加工プログラムを記憶する加工プログラム記憶手段と、
該加工プログラム記憶手段に記憶されている加工プログラムを解析する加工プログラム解析手段と、
該加工プログラム解析手段による解析結果に基づいて前記被加工物の加工形状を作成する加工形状作成手段と、
前記ワイヤ電極のワイヤ径補正量を記憶するワイヤ径補正量記憶手段と、
前記ワイヤ電極のワイヤ径補正量を調整するためのワイヤ径補正調整量を複数設定するワイヤ径補正調整量設定手段と、
該設定された複数のワイヤ径補正調整量を記憶するワイヤ径補正調整量記憶手段と、
ワイヤ径補正調整量記憶手段に記憶された複数のワイヤ径補正調整量から１つ以上の所望のワイヤ径補正調整量を選択するワイヤ径補正調整量選択手段と、
該選択されたワイヤ径補正調整量を前記ワイヤ径補正量に加算して加工経路計算用ワイヤ径補正量を算出する加工経路計算用ワイヤ径補正量算出手段と、
前記加工形状から前記加工経路計算用ワイヤ径補正量だけオフセットした加工経路を作成する加工経路作成手段、
とを備えたことを特徴とするワイヤ放電加工機の制御装置。
【請求項２】
前記複数のワイヤ径補正調整量の少なくとも１つは、被加工物の前記所望の加工形状と加工後の加工形状との寸法差に基づいて設定されることを特徴とする請求項１に記載のワイヤ放電加工機の制御装置。
【請求項３】
前記複数のワイヤ径補正調整量の少なくとも１つは、被加工物の前記所望の加工形状に対する仕上げ代として設定されることを特徴とする請求項１または２の何れか一つに記載のワイヤ放電加工機の制御装置。
【請求項４】
加工プログラムに従ってワイヤ電極と被加工物を相対移動させ、前記被加工物を所望の加工形状に加工するワイヤ放電加工機であって、
前記加工プログラムを記憶する加工プログラム記憶手段と、
該加工プログラム記憶手段に記憶されている加工プログラムを解析する加工プログラム解析手段と、
該加工プログラム解析手段による解析結果に基づいて前記被加工物の加工形状を作成する加工形状作成手段と、
前記ワイヤ電極のワイヤ径補正量を記憶するワイヤ径補正量記憶手段と、
前記ワイヤ電極のワイヤ径補正量を調整するためのワイヤ径補正調整量を複数設定するワイヤ径補正調整量設定手段と、
該設定された複数のワイヤ径補正調整量を記憶するワイヤ径補正調整量記憶手段と、
ワイヤ径補正調整量記憶手段に記憶された複数のワイヤ径補正調整量から１つ以上の所望のワイヤ径補正調整量を選択するワイヤ径補正調整量選択手段と、
該選択されたワイヤ径補正調整量を前記ワイヤ径補正量に加算して加工経路計算用ワイヤ径補正量を算出する加工経路計算用ワイヤ径補正量算出手段と、
前記加工形状から前記加工経路計算用ワイヤ径補正量だけオフセットした加工経路を作成する加工経路作成手段と、
該作成された加工経路に基づいて前記ワイヤ電極と前記被加工物を相対移動させる駆動手段、
とを備えたことを特徴とするワイヤ放電加工機。
【請求項５】
前記複数のワイヤ径補正調整量の少なくとも１つは、被加工物の前記所望の加工形状と加工後の加工形状との寸法差に基づいて設定されることを特徴とする請求項４に記載のワイヤ放電加工機。
【請求項６】
前記複数のワイヤ径補正調整量の少なくとも１つは、被加工物の前記所望の加工形状に対する仕上げ代として設定されることを特徴とする請求項４または５の何れか一つに記載のワイヤ放電加工機。
【請求項７】
加工プログラムに従ってワイヤ電極と被加工物を相対移動させ、前記被加工物を所望の加工形状に加工するワイヤ放電加工方法であって、
前記加工プログラムを解析するステップと、
該解析の結果に基づいて前記被加工物の加工形状を作成するステップと、
前記ワイヤ電極のワイヤ径補正量を記憶するステップと、
前記ワイヤ電極のワイヤ径補正量を調整するためのワイヤ径補正調整量を複数設定するステップと、
該設定された複数のワイヤ径補正調整量を記憶するステップと、
ワイヤ径補正調整量記憶手段に記憶された複数のワイヤ径補正調整量から１つ以上の所望のワイヤ径補正調整量を選択するステップと、
該選択されたワイヤ径補正調整量を前記ワイヤ径補正量に加算して加工経路計算用ワイヤ径補正量を算出するステップと、
前記加工形状から前記加工経路計算用ワイヤ径補正量だけオフセットした加工経路を作成するステップと、
該作成された加工経路に基づいて前記ワイヤ電極と前記被加工物を相対移動させるステップからなることを特徴とするワイヤ放電加工方法。
【請求項８】
前記複数のワイヤ径補正調整量の少なくとも１つは、被加工物の前記所望の加工形状と加工後の加工形状との寸法差に基づいて設定されることを特徴とする請求項７に記載のワイヤ放電加工方法。
【請求項９】
前記複数のワイヤ径補正調整量の少なくとも１つは、被加工物の前記所望の加工形状に対する仕上げ代として設定されることを特徴とする請求項７または８のいずれか一つに記載のワイヤ放電加工方法。
【発明の詳細な説明】
【技術分野】
【０００１】
本発明は、ワイヤ放電加工機の制御装置、ワイヤ放電加工機およびワイヤ放電加工方法に関する。
【背景技術】
【０００２】
ワイヤ放電加工機で被加工物の加工を行う場合、ワイヤ電極の移動経路を加工プログラム通りにして加工すると、ワイヤ電極半径と放電ギャップを合わせた分だけ被加工物が小さくなってしまう。  
そこで、一般的には、加工プログラムの経路に対してワイヤ径補正量（ワイヤ電極半径＋放電ギャップ）をかけてワイヤ電極が移動する加工経路を作成する。また、ワイヤ径補正量は、ワイヤ電極の種類や加工速度など条件に応じて、加工実験を行いあらかじめ求めている。
【０００３】
前述ワイヤ径補正量を修正することで、被加工物の仕上がりサイズを修正する技術が特許文献１に開示されている。特許文献１に開示されるワイヤカット放電加工機のオフセット量設定装置は、ワイヤ電極とワークとの間に放電を発生させることにより前記ワークを所望の形状にカットするワイヤカット放電加工において、前記ワークに対応して予め定められた前記ワイヤ電極の基準オフセット量を記憶する第１の記憶部と、前記基準オフセット量を修正する修正量を記憶する第２の記憶部と、前記第１の記憶部に記憶された基準オフセット量を表示する第１の表示領域および前記第２の記憶部に記憶された修正量を表示する第２の表示領域より成る表示部と、前記第１の記憶部に記憶された基準オフセット量を前記第２の記憶部に記憶された修正量で修正する演算手段と、この演算手段により得られた値をオフセット量として設定する設定手段とを備えたことを特徴とする。
【０００４】
取得済みのワイヤ径補正量を用いて加工した結果、被加工物の仕上がりサイズが期待するサイズと異なる場合に、加工結果と期待するサイズの差分だけワイヤ径補正量を修正することで、期待したサイズの加工結果が得られる。また、他の例として、被加工物のサイズに仕上げ代をとり、仕上がりサイズを大きく変更したいという場合にも適用でき、仕上げ代の分ワイヤ径補正量を修正することで、期待したサイズの加工結果が得られる。
【先行技術文献】
【特許文献】
【０００５】
【特許文献１】特開平４−２４１４号公報
【発明の概要】
【発明が解決しようとする課題】
【０００６】
従来技術で説明した特許文献１に開示されるワイヤ放電加工装置ではオフセットの修正量は１つであるから、異なる複数の目的に対して修正量を使用したい場合、あらかじめ加算しておく必要がある。しかし、異なる目的の補正量を加算すると、元々の個別の修正量が判らなくなるので、一方の修正量のみを修正することが難しくなる。
【０００７】
また、仕上げ代のためにワイヤ径補正量を修正する量を設定する場合などでは、ワイヤ径補正量を修正する量（仕上げ代）を加工プログラムの先頭で指令したり、異なる加工部分に対して異なる仕上げ代にするために、加工プログラム中の複数の箇所で指令したりする場合も考えられる。
【０００８】
このように、ワイヤ径補正量を修正する量（仕上げ代）を加工プログラム中で指令した加工の結果、被加工物のサイズが期待通りにならなかった場合、加工結果と期待するサイズの差分でワイヤ径補正量を修正する量（仕上げ代）をさらに変更する必要がある。
【０００９】
しかし、加工プログラムを変更しなければならないために手間が掛かり、変更する箇所が複数ある場合には修正忘れなどの危険性もあった。また、複数の目的の修正量を加算した量を、ワイヤ径補正量を修正する量として設定した場合、加算前の元の個別の修正量が判らなくなるので、一つの目的における修正量のみを修正することが難しくなる。
【００１０】
そこで本発明の課題は、このような状況を鑑み、ワイヤ径補正量を修正する量を目的（用途）別に複数用意してワイヤ径補正量を補正することにより、既存の加工プログラムを修正することなく、簡単に異なる複数の目的に対してワイヤ径補正量の変更が可能な、ワイヤ放電加工機の制御装置、ワイヤ放電加工機およびワイヤ放電加工方法を提供することである。
【課題を解決するための手段】
【００１１】
本願の請求項１に係る発明は、加工プログラムに従ってワイヤ電極と被加工物を相対移動させ、前記被加工物を所望の加工形状に加工するワイヤ放電加工機の制御装置であって、前記加工プログラムを記憶する加工プログラム記憶手段と、該加工プログラム記憶手段に記憶されている加工プログラムを解析する加工プログラム解析手段と、該加工プログラム解析手段による解析結果に基づいて前記被加工物の加工形状を作成する加工形状作成手段と、前記ワイヤ電極のワイヤ径補正量を記憶するワイヤ径補正量記憶手段と、前記ワイヤ電極のワイヤ径補正量を調整するためのワイヤ径補正調整量を複数設定するワイヤ径補正調整量設定手段と、該設定された複数のワイヤ径補正調整量を記憶するワイヤ径補正調整量記憶手段と、ワイヤ径補正調整量記憶手段に記憶された複数のワイヤ径補正調整量から１つ以上の所望のワイヤ径補正調整量を選択するワイヤ径補正調整量選択手段と、該選択されたワイヤ径補正調整量を前記ワイヤ径補正量に加算して加工経路計算用ワイヤ径補正量を算出する加工経路計算用ワイヤ径補正量算出手段と、前記加工形状から前記加工経路計算用ワイヤ径補正量だけオフセットした加工経路を作成する加工経路作成手段、とを備えたことを特徴とするワイヤ放電加工機の制御装置である。
請求項２に係る発明は、前記複数のワイヤ径補正調整量の少なくとも１つは、被加工物の前記所望の加工形状と加工後の加工形状との寸法差に基づいて設定されることを特徴とする請求項１に記載のワイヤ放電加工機の制御装置である。  
請求項３に係る発明は、前記複数のワイヤ径補正調整量の少なくとも１つは、被加工物の前記所望の加工形状に対する仕上げ代として設定されることを特徴とする請求項１または２の何れか一つに記載のワイヤ放電加工機の制御装置である。
【００１２】
請求項４に係る発明は、加工プログラムに従ってワイヤ電極と被加工物を相対移動させ、前記被加工物を所望の加工形状に加工するワイヤ放電加工機であって、前記加工プログラムを記憶する加工プログラム記憶手段と、該加工プログラム記憶手段に記憶されている加工プログラムを解析する加工プログラム解析手段と、該加工プログラム解析手段による解析結果に基づいて前記被加工物の加工形状を作成する加工形状作成手段と、前記ワイヤ電極のワイヤ径補正量を記憶するワイヤ径補正量記憶手段と、前記ワイヤ電極のワイヤ径補正量を調整するためのワイヤ径補正調整量を複数設定するワイヤ径補正調整量設定手段と、該設定された複数のワイヤ径補正調整量を記憶するワイヤ径補正調整量記憶手段と、ワイヤ径補正調整量記憶手段に記憶された複数のワイヤ径補正調整量から１つ以上の所望のワイヤ径補正調整量を選択するワイヤ径補正調整量選択手段と、該選択されたワイヤ径補正調整量を前記ワイヤ径補正量に加算して加工経路計算用ワイヤ径補正量を算出する加工経路計算用ワイヤ径補正量算出手段と、前記加工形状から前記加工経路計算用ワイヤ径補正量だけオフセットした加工経路を作成する加工経路作成手段と、該作成された加工経路に基づいて前記ワイヤ電極と前記被加工物を相対移動させる駆動手段、とを備えたことを特徴とするワイヤ放電加工機である。  
請求項５に係る発明は、前記複数のワイヤ径補正調整量の少なくとも１つは、被加工物の前記所望の加工形状と加工後の加工形状との寸法差に基づいて設定されることを特徴とする請求項４に記載のワイヤ放電加工機である。  
請求項６に係る発明は、前記複数のワイヤ径補正調整量の少なくとも１つは、被加工物の前記所望の加工形状に対する仕上げ代として設定されることを特徴とする請求項４または５の何れか一つに記載のワイヤ放電加工機である。
【００１３】
請求項７に係る発明は、加工プログラムに従ってワイヤ電極と被加工物を相対移動させ、前記被加工物を所望の加工形状に加工するワイヤ放電加工方法であって、前記加工プログラムを解析するステップと、該解析結果に基づいて前記被加工物の加工形状を作成するステップと、前記ワイヤ電極のワイヤ径補正量を記憶するステップと、前記ワイヤ電極のワイヤ径補正量を調整するためのワイヤ径補正調整量を複数設定するステップと、該設定された複数のワイヤ径補正調整量を記憶するステップと、ワイヤ径補正調整量記憶手段に記憶された複数のワイヤ径補正調整量から１つ以上の所望のワイヤ径補正調整量を選択するステップと、該選択されたワイヤ径補正調整量を前記ワイヤ径補正量に加算して加工経路計算用ワイヤ径補正量を算出するステップと、前記加工形状から前記加工経路計算用ワイヤ径補正量だけオフセットした加工経路を作成するステップと、該作成された加工経路に基づいて前記ワイヤ電極と前記被加工物を相対移動させるステップからなることを特徴とするワイヤ放電加工方法である。  
請求項８に係る発明は、前記複数のワイヤ径補正調整量の少なくとも１つは、被加工物の前記所望の加工形状と加工後の加工形状との寸法差に基づいて設定されることを特徴とする請求項７に記載のワイヤ放電加工方法である。  
請求項９に係る発明は、前記複数のワイヤ径補正調整量の少なくとも１つは、被加工物の前記所望の加工形状に対する仕上げ代として設定されることを特徴とする請求項７または８のいずれか一つに記載のワイヤ放電加工方法である。
【発明の効果】
【００１４】
本発明により、ワイヤ径補正量を修正する量を目的（用途）別に複数用意してワイヤ径補正量を補正することにより、既存の加工プログラムを修正することなく、簡単に異なる複数の目的に対してワイヤ径補正量の変更が可能な、ワイヤ放電加工機の制御装置、ワイヤ放電加工機およびワイヤ放電加工方法を提供できる。
【図面の簡単な説明】
【００１５】
【図１】制御装置によって制御されるワイヤ放電加工機を説明するブロック図である。
【図２】加工経路作成装置を説明するブロック図である。
【図３】本発明に係る加工経路を作成する処理のフローを説明する図である。
【発明を実施するための形態】
【００１６】
以下、本発明の実施形態を図面と共に説明する。  
図１は制御装置によって制御されるワイヤ放電加工機を説明するブロック図である。ワイヤ放電加工機の制御装置を中心に記載している。符号２０は、ワイヤ放電加工機を制御する数値制御装置等で構成される制御装置である。該制御装置２０には、プロセッサ（ＣＰＵ）２１と該プロセッサ２１にバス２８で結合されているＲＯＭ，ＲＡＭ等からなるメモリ２２、表示器２３，キーボード等の入力手段２４、加工プログラム等を外部記憶媒体から入力又は出力するインタフェース２５、各軸を制御する軸制御手段２６、入出力回路２７等で構成されている。
【００１７】
軸制御手段２６は、下ワイヤガイド（図示せず）を直交するＸ，Ｙ軸方向に駆動するＸ軸，Ｙ軸、上ワイヤガイド（図示せず）を直交するＸ軸，Ｙ軸方向に駆動するＵ軸，Ｖ軸、上ワイヤガイド（図示せず）を前記Ｘ軸、Ｙ軸に直交する方向に移動させるＺ軸をそれぞれ駆動する各サーボモータ３５ｘ，３５ｙ，３５ｕ，３５ｖ，３５ｚを制御するもので、プロセッサやメモリ等で構成され、各軸の位置、速度、電流のフィードバック制御を行う。この各軸の軸制御手段２６には、各軸のサーボアンプ３１ｘ，３１ｙ，３１ｕ，３１ｖ，３１ｚを介して各軸のサーボモータ３５ｘ，３５ｙ，３５ｕ，３５ｖ，３５ｚが接続されている。なお各サーボモータ３５ｘ，３５ｙ，３５ｕ，３５ｖ，３５ｚ，には位置・速度検出器が取り付けられ、位置、速度をそれぞれの軸制御手段２６にフィードバックするように構成されているが、この図１では省略している。
【００１８】
また、入出力回路２７には、ワイヤ放電加工機のワイヤ電極（図示せず）とワーク（図示せず）間に電圧を印加して放電を生じせしめるための電源回路３２，ワークの加工開始孔にワイヤ電極を挿通させるための自動結線装置３３、ワイヤ電極を供給するワイヤ電極供給装置３４、さらには、その他の周辺機器に接続されている。上述したワイヤ放電加工機の構成は、従来から公知のワイヤ放電加工機の構成と変わりはない。
【００１９】
ワイヤ放電加工を行う際には、まず、作業者は制御装置２０の入力手段２４から加工しようとするワークの板厚、材質、ワイヤ電極の種類を制御装置２０に設定する。また、希望する加工精度が得られるような加工条件を、制御装置２０の表示器２３の加工条件設定画面を利用して入力手段２４より選択、設定する。また、加工条件の選択、設定は、加工プログラム中にて指令することも可能である。そして、実際のワークの材質やワイヤ電極の材質は、ワークの素材メーカやワイヤ電極の製造メーカによって異なる場合があるから、本発明は後述するように、例えば、公称のワークの材質やワイヤ電極の材質からの、実際のワークの材質やワイヤ電極の材質の差異による放電ギャップ量の調整や、仕上げ加工量の指定を、加工経路を作成する際に行う。
【００２０】
以下、本発明に係る加工経路作成装置を説明する。図２は加工経路作成装置を説明するブロック図である。加工経路作成装置１０は、加工プログラムに従ってワイヤ電極と被加工物を相対移動させ、前記被加工物を所望の加工形状に加工するワイヤ放電加工機の制御装置２０において実行される加工経路を作成する装置である。
【００２１】
加工経路作成装置１０は、加工プログラムを記憶する加工プログラム記憶手段１１と、該加工プログラム記憶手段１１に記憶されている加工プログラムを解析する加工プログラム解析手段１２と、該加工プログラム解析手段１２による解析結果に基づいて前記被加工物の加工形状を作成する加工形状作成手段１３と、前記ワイヤ電極のワイヤ径補正量を記憶するワイヤ径補正量記憶手段１５と、前記ワイヤ電極のワイヤ径補正量を調整するためのワイヤ径補正調整量を複数設定するワイヤ径補正調整量設定手段１７と、該設定された複数のワイヤ径補正調整量を記憶するワイヤ径補正調整量記憶手段１８と、ワイヤ径補正調整量記憶手段１８に記憶された複数のワイヤ径補正調整量から所望のワイヤ径補正調整量を選択するワイヤ径補正調整量選択手段１９と、該選択された複数のワイヤ径補正調整量を前記ワイヤ径補正量に加算して加工経路計算用ワイヤ径補正量を算出する加工経路計算用ワイヤ径補正量算出手段１６と、前記加工形状から前記加工経路計算用ワイヤ径補正量だけオフセットした加工経路を作成する加工経路作成手段１４、とを備えている。
【００２２】
ワイヤ電極のワイヤ径補正量を調整するためのワイヤ径補正調整量を複数設定するワイヤ径補正調整量設定手段１７、該設定された複数のワイヤ径補正調整量を記憶するワイヤ径補正調整量記憶手段１８、および、該記憶された複数のワイヤ径補正調整量からワイヤ径補正調整量選択手段１９によって選択された１つ以上のワイヤ径補正調整量を前記ワイヤ径補正量に加算して加工経路計算用ワイヤ径補正量を算出する加工経路計算用ワイヤ径補正量算出手段１６は、本発明の要部であって、その他の構成は従来公知の加工経路作成装置と同様である。
【００２３】
本発明の実施形態に係るワイヤ放電加工機を制御する制御装置やワイヤ放電加工機は、加工経路作成装置１０を制御装置２０によって構成することができる。あるいは、制御装置２０と独立して加工経路作成装置１０を単独の構成としてもよい。そして、ワイヤ径補正調整量設定手段１７、ワイヤ径補正調整量選択手段１９は、公知のワイヤ放電加工機に備わったキーボードなどの入力手段を用いることができる。あるいは、加工プログラムに指令されたコードによってワイヤ径補正調整量記憶手段１８から選択するようにしてもよい。
【００２４】
次に、ワイヤ径補正量Ｄを修正する量を目的（用途）別に複数用意してワイヤ径補正量を補正することにより加工経路計算用ワイヤ補正量Ｄｃを求め、既存の加工プログラムを修正することなく、簡単に異なる目的のワイヤ径補正量の変更が可能な、ワイヤ放電加工機の制御装置、ワイヤ放電加工機およびワイヤ放電加工方法を提供するために、ワイヤ電極のワイヤ径補正量を調整するためのワイヤ径補正調整量を複数設定するワイヤ径補正調整量設定手段１７を用いて、ワイヤ径補正調整量記憶手段１８に記憶される複数のワイヤ径補正調整量を説明する。
【００２５】
ワイヤ径補正量を修正する量を目的（用途）別に複数用意してワイヤ径補正量を補正することにより、既存の加工プログラムを修正することなく、簡単に異なる目的のワイヤ径補正量の変更が可能な、ワイヤ放電加工機の制御装置、ワイヤ放電加工機およびワイヤ放電加工方法を提供するため、前記複数のワイヤ径補正調整量の少なくとも１つとして、被加工物の所望の加工形状と加工後の加工形状との寸法差を、ワイヤ径補正調整量設定手段１７を用いて、ワイヤ径補正調整量記憶手段１８に記憶する。あるいは、前記複数のワイヤ径補正調整量の少なくとも１つとして、被加工物の所望の加工形状に対する仕上げ代を、ワイヤ径補正調整量設定手段１７を用いて、ワイヤ径補正調整量記憶手段１８に記憶する。または、ワイヤ径補正調整量設定手段１７を用いて被加工物の前記所望の加工形状と加工後の加工形状との寸法差、および、被加工物の前記所望の加工形状に対する仕上げ代をワイヤ径補正調整量記憶手段１８に記憶してもよい。
【００２６】
ワイヤ径補正調整量設定手段１７を用いて設定され、ワイヤ径補正調整量記憶手段１８に記憶される複数のワイヤ径補正調整量は、ワイヤ径補正量の調整の目的がそれぞれ異なり、それぞれのワイヤ径補正調整量を単純に加算し、ワイヤ電極のオフセット量とすることが可能な互いに独立した量である。そして、オペレータなどが目的に応じてワイヤ径補正調整量選択手段１９によって、ワイヤ径補正調整量記憶手段１８に記憶される複数のワイヤ径補正調整量を選択する。ワイヤ径補正調整量選択手段１９によってどのワイヤ径補正調整量を調整に用いたかを、加工経路作成装置１０、あるいは、ワイヤ放電加工機の表示装置（図示せず）に表示することによって、オペレータはどのワイヤ径補正調整量によって調整されているかを容易に知ることができる。
【００２７】
図３は本発明に係る加工経路を作成する処理のフローを説明する図である。以下、各ステップに従って説明する。  
●［ステップＳＡ０１］加工経路計算用ワイヤ径補正量Ｄｃを初期化する（Ｄｃ＝０）。●［ステップＳＡ０２］加工プログラム記憶手段に記憶された加工プログラムから１ブロック読み取る。  
●［ステップＳＡ０３］加工形状を作成する。  
●［ステップＳＡ０４］ワイヤ径補正量番号の指令があるか否か判断し、指令がある場合（ＹＥＳ）にはステップＳＡ０５へ移行し、指令がない場合（ＮＯ）にはステップＳＡ０７へ移行する。  
●［ステップＳＡ０５］ワイヤ径補正量記憶手段からワイヤ径補正量番号に対応するワイヤ径補正量Ｄを取得する。  
●［ステップＳＡ０６］加工経路計算用ワイヤ径補正量Ｄｃを計算する。ワイヤ径補正量Ｄとワイヤ径補正調整量選択手段１９によって選択された１つまたはそれ以上のワイヤ径補正調整量を加工経路計算用ワイヤ径補正量Ｄｃに加算し、加算加工経路計算用ワイヤ径補正量Ｄｃを求める。これによって、各種ワイヤ電極メーカから供給されるワイヤ電極に対応してワイヤ径補正調整量を選択することができる。
●［ステップＳＡ０７］加工形状を加工経路計算用ワイヤ径補正量Ｄｃでオフセットし、加工経路を作成する。  
●［ステップＳＡ０８］加工プログラムの全てのブロックを解析したか否か判断し、全てのブロックを解析した場合（ＹＥＳ）には処理を終了し、全てのブロックを解析していない場合（ＮＯ）にはステップＳＡ０２に戻り処理を継続する。
【符号の説明】
【００２８】
１０  加工経路作成装置
１１  加工プログラム記憶手段
１２  加工プログラム解析手段
１３  加工形状作成手段
１４  加工経路作成手段
１５  ワイヤ径補正量記憶手段
１６  加工経路計算用ワイヤ径補正量算出手段
１７  ワイヤ径補正調整量設定手段
１８  ワイヤ径補正調整量記憶手段
１９  ワイヤ径補正調整量選択手段
２０  制御装置
２１  プロセッサ
２２  メモリ
２３  表示器
２４  入力手段
２５  インタフェース
２６  軸制御手段
２７  入出力回路
２８  バス
３１  サーボアンプ
３２  電源回路
３３  自動結線装置
３４  ワイヤ電極供給装置
３５  モータ
【図１】
0005638053.tif 000002
【図２】
0005638053.tif 000003
【図３】
0005638053.tif 000004